(57)【要約】【課題】意匠性を低下させることなく着用者が雰囲気温度や体感温度の急激な変化に応じて衣服内の温度をフレキシブルに調整できるウォームボトム衣類を提供する。【解決手段】少なくとも仙骨に対応する部分を含む腰部内面領域に設けられた雄面又は雌面を有する腰部用基材と、前記腰部用基材に着脱自在に接続可能な、雌面又は雄面を有する腰部調温帯と、足首から大腿部の範囲における内面領域に設けられた雄面又は雌面を有する足部用基材と、前記足部用基材に着脱自在に接続可能な、雌面又は雄面を有する足部調温帯と、を具備し、前記腰部調温帯及び／又は前記足部調温帯を着脱することによって暖かさを段階的に調整できること、を特徴とするウォームボトム衣類。【選択図】図１
2019039115.tif 000002
【特許請求の範囲】
【請求項１】
少なくとも仙骨に対応する部分を含む腰部内面領域に設けられた雄面又は雌面を有する腰部用基材と、
前記腰部用基材に着脱自在に接続可能な、雌面又は雄面を有する腰部調温帯と、
足首から大腿部の範囲における内面領域に設けられた雄面又は雌面を有する脚部用基材と、
前記脚部用基材に着脱自在に接続可能な、雌面又は雄面を有する脚部調温帯と、
を具備し、
前記腰部調温帯及び／又は前記脚部調温帯を着脱することによって暖かさを段階的に調整できること、
を特徴とするウォームボトム衣類。
【請求項２】
前記脚部用基材が、右足部用基材及び左足部用基材を含み、前記脚部調温帯が、右足部調温帯及び左足部調温帯を含むこと、
を特徴とする請求項１に記載のウォームボトム衣類。
【請求項３】
前記雌面は、繊維径１００〜２０００ｎｍの繊維を用いて形成されたパイル生地で構成されており、
前記雄面は、前記パイル生地に係合可能な起毛生地で構成されていること、
を特徴とする請求項１又は２に記載のウォームボトム衣類。
【請求項４】
前記パイル生地がポリエステル長繊維で構成されること、
を特徴とする請求項３に記載のウォームボトム衣類。
【請求項５】
前記腰部用基材又は腰部調温帯の起毛生地が、１〜２０ｍｍの起毛を具備すること、
を特徴とする請求項３又は４に記載のウォームボトム衣類。
【請求項６】
前記足部用基材又は足部調温帯の起毛生地が、１〜３５ｍｍの起毛を具備すること、
を特徴とする請求項３〜５のうちのいずれかに記載のウォームボトム衣類。
【発明の詳細な説明】
【技術分野】
【０００１】
本発明は、暖かいボトム衣類に関し、なかでも、人体と腰部及び裾部との開口度合を変更して衣類内の温度調整ができるウォームボトム衣類に関する。
【背景技術】
【０００２】
現在、衣服には多様なデザインが施され、その高い意匠性で着用者の外見を装飾し、アイデンティティを具現化するための重要なアイテムの一つとなっている。しかし、当該衣服における本来の役割は、腰部に、着用者の人体の体温調節（体温の保温）を補助するものであって、衣服外部の空気と、内部（衣服と着用者の人体との間に形成されるスペース）の空気と、の行き来を抑制乃至は調整することにある。
【０００３】
かかる衣服の体温調節補助機能としては、断熱効果を向上させ、着用者の体温を衣服内に留めるものが主流である。これは、例えば衣服内に断熱効果の高い中綿等を封入して空気を有する中空層を形成し、この中空層によって衣服外部と内部との熱交換を抑制するものである。
【０００４】
ここで、例えば特許文献１（特開２０１２−３６５４８号公報）には、衣服と、ダウンを挿入した布（ミニダウン）と、から構成された温度調節機能を有する衣服が開示されている。この特許文献１の衣服では、着用者が衣服の所定の範囲に対して選択的にミニダウンを任意に着脱することが可能で、当該着用者の体感温度に応じて衣服の構成を変更し、温度の調節を行うことができる。
【先行技術文献】
【特許文献】
【０００５】
【特許文献１】特開２０１２−３６５４８号公報
【発明の概要】
【発明が解決しようとする課題】
【０００６】
しかしながら、上記のような従来の衣服では、衣服内外の断熱効果は備えているが、特に下半身用衣類では衣服の腰部及び裾部と人体との間の開口部から外部の冷たい空気が衣服内に直接侵入し、着用者の体温を低下させてしまう。特に、衣服内外の温度差が顕著になると、煙突効果が発生し、衣服腰部と人体との間の開口部から衣服内の暖かい空気が外部に移動し、これに伴って衣服裾部と人体との間の開口部から冷たい空気を引き込んでしまう。
【０００７】
また、上記のとおり、断熱効果の向上にはダウン等の中綿を衣服内に封入したり、中綿が封入された別部品を装着したりすることにより、所定の中空層を形成する必要があることから、衣服のシルエットが膨張し、意匠性を著しく低下させてしまうおそれがあった。
【０００８】
即ち、従来の衣服は、衣服内外の熱交換を抑制する断熱性の向上のみに着目した構造を採用しており、意匠性の低下を招いたり、着用者が雰囲気温度や体感温度の急激な変化に応じて着衣のままフレキシブルに温度調整できないという問題があり、未だ改善の余地があった。
【０００９】
そこで、本発明の目的は、上記のような従来の問題に鑑み、意匠性を低下させることなく着用者が雰囲気温度や体感温度の急激な変化に応じて衣服内の温度を着衣のままフレキシブルに調整できるウォームボトム衣類を提供することにある。
【課題を解決するための手段】
【００１０】
上記の課題を解決すべく、本発明は、
少なくとも仙骨に対応する部分を含む腰部内面領域に設けられた雄面又は雌面を有する腰部用基材と、
前記腰部用基材に着脱自在に接続可能な、雌面又は雄面を有する腰部調温帯と、
足首から大腿部の範囲における内面領域に設けられた雄面又は雌面を有する脚部用基材と、
前記脚部用基材に着脱自在に接続可能な、雌面又は雄面を有する脚部調温帯と、
を具備し、
前記腰部調温帯及び／又は前記脚部調温帯を着脱することによって暖かさを段階的に調整できること、
を特徴とするウォームボトム衣類を提供する。
【００１１】
このような構成を有する本発明のウォームボトム衣類においては、腰部調温帯及び脚部調温帯が、いずれも雄面雌面を備えた面ファスナを用いて構成されているため、着用者が任意にそれぞれの調温帯をボトム衣類の正しい位置に着脱することができる。したがって、着用者は、例えば寒い屋外から暖房等の効いた室内に入室した際、多量の発汗が起きるような雰囲気温度及び体感温度の急激な変化に応じ、上記の腰部調温帯及び／又は脚部調温帯を着脱することにより、着用者の人体と衣服腰部及び脚部（足首から大腿部にわたる範囲におけるいずれかの部分）との間に形成される開口の程度（開口度）を任意に変更することができ、意匠性を損なうことなく、ウォームボトム衣類内の温度調整を容易に行うことが可能である。
【００１２】
また、腰部調温帯及び足部調温帯は、上記のとおり雄面及び雌面を含む面ファスナの構造を用いた構成であるため、ウォームボトム衣類を脱衣することなくこれらの調温帯を着脱でき、上記開口度の調整を簡便に行うことができる。
【００１３】
また、上記の本発明のウォームボトム衣類においては、前記脚部用基材が、右足部用基材及び左足部用基材を含み、前記脚部調温帯が、右足部調温帯及び左足部調温帯を含むこと、が望ましい。即ち、この場合はパンツタイプのウォームボトム衣類であり、足部調温帯として右足部調温帯及び左足部調温帯を左右の裾部に配設すればよく、上記のような作用効果をより確実に得ることができる。例えば、ウォームボトム衣類の左右の裾部を捲り上げ、右足部調温帯及び左足部調温帯の係合面をそれぞれ右足部用基材及び左足部用基材とを当接することにより取り付けることができ（又は、簡単に取り外すこともでき）、雰囲気温度及び着用者の体感温度の急激な変化に応じて迅速に温度調整を行うことができる。
【００１４】
上記の本発明のウォームボトム衣類においては、前記雌面は、繊維径１００〜２０００ｎｍの繊維を用いて形成されたパイル生地で構成されており、
前記雄面は、前記パイル生地に係合可能な起毛生地で構成されていることが望ましい。  また、前記パイル生地がポリエステル長繊維で構成されることが望ましい。
【００１５】
このような構成を有する本発明のウォームボトム衣類においては、上記繊維を用いて構成されたパイル生地の雌面が、雄面と接触した際に高い摩擦力を発揮し、この係合は摩擦力によって高まるため、雌面と雄面とが、それぞれ異方向に水平移動しようとすると、更に摩擦力が発生し、雌面と雄面との繊維がより絡みつき、係合力が向上して双方の剥がれを防止する。
【００１６】
また、このような構成を有する雄面及び雌面は、柔らかく極めて細やかな肌触りと風合いを呈することから、一般的な面ファスナ（マジックテープ（登録商標）等）のように硬質かつ突き刺さるような感覚を着用者に与えることがなく、腰や足首のように敏感な部分における良好な肌触りを提供することができる。
【００１７】
更に、雌面を構成するパイル生地がポリエステル長繊維で構成されると、繊維が長尺であるため雄面の立毛生地に対して容易に絡みついて係合し、取り外し時においても「バリッ」という様な大きな係合解除音が発生しないため、周囲の状況に関わらず容易に行うことができるため、より好ましい。  
【００１８】
また、上記の本発明のウォームボトム衣類においては、前記腰部用基材又は腰部調温帯の起毛生地が、１〜２０ｍｍの起毛を具備することが望ましい。更に、前記足部用基材又は足部調温帯（右足部用基材又は右足調温帯、及び、左足部用基材又は右足部調温帯）の起毛生地が、１〜３５ｍｍの起毛を具備することが望ましい。
【００１９】
このような構成を有する本発明のウォームボトム衣類は、起毛生地が腰部及び左右の脚部と、ウォームボトム衣類と、の間に形成される開口を好適に閉鎖することができる。
【発明の効果】
【００２０】
本発明のウォームボトム衣類によれば、意匠性を低下させることなく、人体と衣服の腰部及び裾部との間に形成される開口の程度（開口度）を着衣のまま迅速かつ静かに変更し、衣類内の温度をフレキシブルかつ段階的に調整することができる。
【図面の簡単な説明】
【００２１】
【図１】本実施形態のウォームボトム衣類１の概要を示す斜視図である。
【図２】腰部調温帯５の構造を示す図であって、図２（ａ）は、腰部調温帯５の平面図であり、図２（ｂ）は、腰部調温帯５の断面図である。
【図３】右足部調温帯７及び左足部調温帯９の構造を示す図であって、図３（ａ）は、右足部調温帯７及び左足部調温帯９の平面図であり、図３（ｂ）は、右足部調温帯７及び左足部調温帯９の断面図である。
【図４】ウォームボトム衣類１における腰部調温帯５の配設位置を示す模式図である。
【図５】ウォームボトム衣類１を構成するボトム衣類３における右足部調温帯７又は左足部調温帯９の配設位置を示す図であって、（ａ）は右足部調温帯７又は左足部調温帯９を配設した状態のボトム衣類３の裾を正面視した正面図、（ｂ）は右足部調温帯７又は左足部調温帯９を配設した状態のボトム衣類３の裾を見上げた見上げ図である。
【図６】ウォームボトム衣類１の温度調整具合を示す図であって、図（ａ）は調温帯を装着しないウォームボトム衣類１３のみを着用した形態（ＯＯ形態）を示す模式図であり、（ｂ）は右足部調温帯７及び左足部調温帯９を装着したウォームボトム衣類１を着用した形態（ＯＣ形態）を示す模式図であり、（ｃ）は腰部調温帯５を装着したウォームボトム衣類１を着用した形態（ＣＯ形態）を示す模式図であり、（ｄ）は腰部調温帯５、右足部調温帯７及び左足部調温帯９を装着したウォームボトム衣類１を着用した形態（ＣＣ形態）を示す模式図である。
【発明を実施するための形態】
【００２２】
以下、本発明に係るウォームボトム衣類の代表的な実施形態を、図１〜図６を参照しながら詳細に説明する。但し、本発明は図示されるものに限られるものではなく、各図面は本発明を概念的に説明するためのものであるから、理解容易のために必要に応じて寸法、比又は数を誇張又は簡略化して表している場合もある。更に、以下の説明では、同一又は相当部分には同一符号を付し、重複する説明は省略することもある。
【００２３】
１．ウォームボトム衣類１の概要
本実施形態のウォームボトム衣類１は、主に冬季等における低気温環境下で使用するパンツタイプのウォームボトム衣類であって、図１に示すとおり腰部及び裾部に起毛生地を用いて構成した調温帯（腰部調温帯５、右足部（右裾部）調温帯７及び左足部（左裾部）調温帯９）を接続することにより、ウォームボトム衣類１内で温まった空気が外部に移動することを抑制し、着用者の身体を好適に保温するものである。
【００２４】
また、本実施形態のウォームボトム衣類１は、任意の箇所で上記の複数の調温帯（腰部調温帯５、右足部調温帯７及び左足部調温帯９）のうちの一部又は複数を取付け又は取外しすることにより、雰囲気温度や着用者の体感温度の変化に応じて、身体の保温程度を適宜調整できる。
【００２５】
２．ウォームボトム衣類１の構造
本実施形態のウォームボトム衣類１は、図１に示すように、概ね本体の衣類となるパンツタイプのボトム衣類３（本実施形態では調温帯及び基材を具備しない状態を単にボトム衣類と称する。）と、ボトム衣類３の腰部に着脱自在に接続される腰部調温帯５と、ボトム衣類３の右脚部に着脱自在に接続される右足部調温帯７と、左脚部に着脱自在に接続される左足部調温帯９と、で構成されている。
【００２６】
＜ボトム衣類３＞
本実施形態におけるボトム衣類３は、図１に示すように、前身頃部３Ａと後身頃部３Ｂとを対向させ、双方の所定の縁部を縫製することにより構成された一般的な下半身用のパンツである。また、前身頃部３Ａ及び後身頃部３Ｂ並びに股上は、後身頃３Ｂの上端が仙骨を覆う程度にまで上方に延びるように構成・寸法調整されており、裾は、踝が隠れる程度にまで下方に延びるように構成・寸法調整されている。
【００２７】
ボトム衣類３の形成に適した生地は、熱伝導性が低く、該生地を貫通することによる外部から内部への空気の移動を抑制し、更に高い吸水性を備えたものが望ましい。例えばナイロン、ウール又はポリエステル等の材料で構成された生地が挙げられるが、これらに限定されるものではない。また、保温性及び履き心地を向上させるという観点から、裏地を設けてもよい。
【００２８】
また、後述するが、本実施形態のウォームボトム衣類１は、人体の体温の保温に効果的な仙骨及び三陰交の部分を温めることができるように、これらの部分を被覆可能な面積及び形状を有していることが望ましい。
【００２９】
なお、本実施形態のウォームボトム衣類１のボトム衣類３は、図１に示すようなスリムな足部を有するタイプのボトム衣類であるが、一般的に呼称されるワイドパンツやバギーパンツ等の全体的に幅寸法が大きなボトム衣類にも適応することができる。これらのように幅寸法が大きなボトム衣類の場合は、上記の右足部調温帯７及び左足部調温帯９の配設位置を足首から大腿部までの範囲において適宜選択すれば、本発明の効果を得ることができる。
【００３０】
＜腰部調温帯５及び腰部用基材６＞
次に、図２（ａ）及び（ｂ）を用いて腰部調温帯５の構造について詳細に説明する。図２（ａ）及び（ｂ）は、腰部調温帯５の構造を示す図であって、（ａ）は腰部調温帯５の平面図であり、（ｂ）は腰部調温帯５の断面図である。
【００３１】
ボトム衣類３を構成する後身頃部３Ｂの腰部内面領域には、略矩形の生地部品である腰部用基材６が縫製又は接着により予め配設されており、係合面６Ａを有している。腰部用調温帯５は、係合面５Ａと起毛面５Ｂとを有しており、係合面５Ａの部分において、腰部用基材６の係合面６Ａと着脱自在に係合する。
【００３２】
腰部用基材６の係合面６Ａと、腰部調温帯５の係合面５Ａとは、双方の所定の面を重ねて当接させることにより、それぞれを構成する生地の繊維が係合するものであり、生地の構成を利用して着脱を繰り返し行うことができる面ファスナを構成している。本実施形態では、腰部用基材６の係合面６Ａが雌面となるパイル生地であり、腰部調温帯５の係合面５Ａが雄面となり、互いに係合可能な立毛生地で構成されている。なお、係合面６Ａが雌面となるパイル生地は、ループパイルでもカットパイルでもよい。後述するように、細径長繊維を用いる場合は、カットパイルで十分な係合力を発揮するとともに優れた肌触りを実現する。
【００３３】
更に腰部用基材６の係合面６Ａを構成する繊維については、直径が１００ｎｍ〜２０００ｎｍ、より好ましくは３００ｎｍ〜７００ｎｍの均一な単糸径を有するポリエステル長繊維、又はこれと同等の強度を有する細径長繊維であることが望ましい。なお、繊度としては１００Ｄ〜２００Ｄ、より好ましくは１３５Ｄ〜１７５Ｄであることが望ましい。また、腰部調温帯５の係合面５Ａを構成する繊維は、上記腰部用基材６Ａの繊維と比して大きな直径を備えたポリエステル繊維等であって、当該繊維を用いて構成された係合面５Ａは、表面が立毛した特徴を有している。
【００３４】
なお、腰部用基材６の係合面６Ａ及び腰部調温帯５の係合面５Ａは、上述のとおり非常に細い直径を有した繊維で構成されているため、一般的な面ファスナ（マジックテープ（登録商標）等）のように硬質かつ突き刺さるような感覚を着用者に与えず、非常に良好な肌触りを呈している。更に、取り外し時に面ファスナの係合解除音を抑制することができる。
【００３５】
上記繊維を用いて構成されたパイル生地の腰部用基材６の係合面６Ａは、腰部調温帯５の係合面５Ａと接触した際に高い摩擦力を発揮し、更に繊維長が長尺であるため係合面５Ａの立毛生地に対して容易に絡みついて係合する。また、上記のとおり、腰部用基材６の係合面６Ａと腰部調温帯５の係合面５Ａとが、互いに異方向に水平移動しようとすると、更に摩擦力が発生し、係合面５Ａと係合面６Ａとの繊維がより絡みつくため、係合力が更に向上して双方の剥がれを防止する。
【００３６】
また、腰部調温帯５における、係合面５Ａと反対側の面は、着用者の身体に接触する面であり、起毛面５Ｂが配設されている。当該起毛面５Ｂは、例えばポリエステル等の基布において、当該ポリエステルを起毛させたり、ラビットファー等の獣毛（即ち、本発明における「起毛」は、獣毛のような起毛に類似するものも含む。）、アクリル等で形成した起毛生地を接合することにより構成された毛質の生地であり、１〜２０ｍｍ、より好ましくは１．５ｍｍ〜１５ｍｍの起毛を具備することが好ましい。若しくは、腰部調温帯５をダウン等を内蔵した袋状としてもよい。この場合、起毛を短くするか、無くしてもよい。袋状の腰部調温帯５は１．５ｍｍ〜１５ｍｍの厚みを具備することが好ましい。
【００３７】
＜右足部調温帯７及び右足部用基材８＞
次に、右足部調温帯７及び左足部調温帯９の両方に用いられる構造について詳細に説明する。右足部及び左足部に共通するため、ここでは右足部について述べる。図３（ａ）及び（ｂ）は、右足部調温帯７及び右足部用基材８の構造を示す図であって、（ａ）は右足部調温帯７及び右足部用基材８の平面図であり、（ｂ）は右足部調温帯７及び右足部用基材８の断面図である。
【００３８】
図３（ａ）及び（ｂ）に示すとおり、ボトム衣類３の右裾部内面領域には、長尺の生地部品である右足部用基材８が縫製又は接着により予め配設されており、係合面８Ａを有している。右足部調温帯７は、係合面７Ａと起毛面７Ｂとを有しており、係合面７Ａの部分において、右足部用基材８の係合面８Ａと着脱自在に係合する。そして、右足部調温帯７及び右足部用基材８は、上記の腰部調温帯５及び腰部用基材６と形状以外は全て同様に構成されている。
【００３９】
また、右足部調温帯７の係合面７Ａ及び左足部調温帯９の係合面９Ａと反対側の面は、着用者の身体に接触する面であり、起毛面７Ｂ及び起毛面９Ｂが配設されている。当該起毛面７Ｂ及び起毛面９Ｂは、例えばポリエステル等の基布において、当該ポリエステルを起毛させたり、ラビットファーなどの獣毛、アクリル等で形成した起毛生地を接合することにより構成された毛質の生地であり、１〜３５ｍｍ、より好ましくは１．５ｍｍ〜２５ｍｍの起毛を具備することが好ましい。なお、当該起毛面７Ｂ及び起毛面９Ｂは、起毛の代わりにダウン等を内蔵した１．５ｍｍ〜２５ｍｍの厚みを具備する袋状としてもよい。
【００４０】
なお、左足部調温帯９及び左足部用基材（図示せず。）は、ボトム衣類３の左裾部内面領域に配設されるものであって、当該配置以外、上記右足部調温帯７及び右足部用基材８と概ね構成は同様である。
【００４１】
＜腰部調温帯５並びに右足部調温帯７及び左足部調温帯9の配設位置＞
続いて、図４及び図５を用いてボトム衣類３に対する腰部調温帯５、右足部調温帯７、及び左足部調温帯９の配設位置について詳細に説明する。
【００４２】
図４は、ウォームボトム衣類１における腰部調温帯５の配設位置を示す模式図である。また、図５は、ウォームボトム衣類１を構成するボトム衣類３における右足部調温帯７及び左足部調温帯９の配設位置を示す図であって、（ａ）は右足部調温帯７及び左足部調温帯９を配設した状態のボトム衣類３の裾を正面視した正面図、（ｂ）は右足部調温帯７及び左足部調温帯９を配設した状態のボトム衣類３の裾を見上げた見上げ図である。
【００４３】
ボトム衣類３に対する腰部調温帯５の配設位置は、上述したとおり、ボトム衣類３の腰部内面領域であるが、より具体的には、図４に示すとおり、後身頃部３Ｂの上方切り返し位置から所定距離（ベルトを受ける生地やウエストゴム等の幅寸法）と同じもしくは下方で長手方向を略水平にしつつ、後身頃部３Ｂの左右の端部に渡って配設される。加えて、この配設位置は、後身頃部３Ｂの形状及び寸法のみで決定されるのではなく、ボトム衣類３の着用時に、腰部調温帯５によって着用者の仙骨を被覆可能な配設位置である。
【００４４】
したがって、この腰部調温帯５の取付け位置は、腰部用基材６の寸法、形状若しくは配設位置の調整、又は腰部調温帯５の寸法若しくは形状等を調整することより、着用者の仙骨を略被覆することができるようにする。
【００４５】
なお、腰部調温帯５と、ボトム衣類３と、の接続は、腰部用基材６Ｂを後身頃部３Ｂの上記配設位置に配置し、例えば衣類用接着剤等を用いた接着や縫製によって双方を接続する。そして、後身頃部３Ｂに接続されている腰部用基材６の係合面６Ａに対し、腰部調温帯５の係合面５Ａを対向させて双方を係合させることにより、ボトム衣類３の所定の位置に腰部調温帯５を着脱自在に接続することができる。
【００４６】
本実施形態において、ボトム衣類３に対する右足部調温帯７及び左足部調温帯９は、いずれも同じであり、図１に示すように、ボトム衣類３の右裾部及び左裾部の内面領域において、着用者の踝にかかる高さで、略全周に着脱自在に接続される。
【００４７】
具体的には、図５（ａ）及び（ｂ）に示すとおり、裾部の下方切り返し位置と同じ、もしくは上方で長手方向を略水平にしつつ、前身頃部３Ａ及び後身頃部３Ｂを渡って略全周に配設される。
【００４８】
加えて、この配設位置は、ボトム衣類３の裾部の形状及び寸法のみで決定されるのではなく、ボトム衣類３の着用時に、右足部調温帯７及び左足部調温帯９によって着用者の両足の内踝にかかる位置、より好ましくは、内踝の上方に位置する温めるべきツボである三陰交を被覆可能な配設位置である。
【００４９】
したがって、これらの右足部調温帯７及び左足部調温帯９の取付け位置は、右足部用基材及び左足部用基材の寸法、形状若しくは配設位置の調整、又は右足部調温帯７及び左足部調温帯９の寸法若しくは形状等を調整することより、着用者の内踝上端を略被覆することができるように調整する。
【００５０】
なお、右足部調温帯７とボトム衣類３との接続は、右足部用基材８を右の裾部における上記配設位置に配置し、例えば衣類用接着剤等を用いた接着や縫製によって双方を接続する。そして、接続した右足部用基材８の係合部８Ａに対して右足部調温帯７の係合部７Ａを対向して係合させることにより、ボトム衣類３の右の裾部に右足部調温帯７を接続することができる。左足部調温帯９も同様である。
【００５１】
腰部調温帯５、右足部調温帯７、及び左足部調温帯９は、上述のとおりいずれも面ファスナを用いて構成されているため、着用者が任意にそれぞれの調温帯をボトム衣類３の所定の位置に着脱することができる。換言すると、着用者は雰囲気温度及び該雰囲気温度の変化による体感温度の急激な変化に応じて上記腰部調温帯５、右足部調温帯７、及び左足部調温帯９を着脱することにより、当該着用者の人体と衣服腰部及び左右裾部との間に形成される開口率を任意に変更し、本実施形態のウォームボトム衣類１内の温度調整を容易に行うことが可能である。
【００５２】
また、腰部調温帯５、右足部調温帯７、及び左足部調温帯９は、上述のとおり面ファスナの構造を用いた構成であるため、上記開口率の変更は本実施形態のウォームボトム衣類１を脱衣することなく簡便に取り外すことができる。特に右足部調温帯７及び左足部調温帯９は、ボトム衣類３の左右の裾部を捲り、それぞれの基材と係合面とを当接することにより係合も可能で、雰囲気温度及び着用者の体感温度の急激な変化に応じて迅速に調整を行うことができる。なお、左右の裾部は、必ずしも着脱状態を合致させる必要はなく、例えば右裾部のみに右足部調温帯７を装着し、左裾部に対して左足部調温帯９は未装着として使用してもよい。
【００５３】
３．ウォームボトム衣類１の温度調整方法及びその効果
＜ウォームボトム衣類１の温度調整方法＞
次に、本実施形態のウォームボトム衣類１の温度調整方法について詳細に説明する。図６は、本実施形態のウォームボトム衣類１の温度調整具合を示す図であって、（ａ）は、ボトム衣類３のみを着用したＯＯ（ｏｐｅｎ  ａｎｄ  ｏｐｅｎ）形態を示す模式図であり、（ｂ）は、ボトム衣類３に右足部調温帯７及び左足部調温帯９を装着したＯＣ（ｏｐｅｎ  ａｎｄ  ｃｌｏｓｅ）形態を示す模式図であり、（ｃ）は、ボトム衣類３に腰部調温帯５を装着したＣＯ（ｃｌｏｓｅ  ａｎｄ  ｏｐｅｎ）形態を示す模式図であり、（ｄ）は、ボトム衣類３に腰部調温帯５、右足部調温帯７、及び左足部調温帯９を装着したＣＣ（ｃｌｏｓｅ  ａｎｄ  ｃｌｏｓｅ）形態を示す模式図である。
【００５４】
ボトム衣類全般において同様であるが、特にパンツ型のボトム衣類は着用者の人体と、ボトム衣類と、の間に形成される開口（スペース）１１内で煙突効果が発生する。ボトム衣類で発生する煙突効果は、スペース１１内の空気が人体によって温められ、当該ボトム衣類外部の空気より高温になった際、スペース１１内の空気が低密度となって浮力を生じ上方に移動する。このため、ボトム衣類下方に位置する裾部の気圧が低くなり外部の空気がスペース１１内に引き込まれ、引き込まれた空気が再度体温によって温められることにより上記空気の移動が繰り返されるものである。
【００５５】
本来、衣類によって人体の保温を目的とする場合、当該衣類外部の空気が内部に侵入することを抑制しつつ、温かい空気を内部に留めることが効果的であるため、上記煙突効果は、人体の保温を妨げる原因となる。これに対し、本実施形態のウォームボトム衣類１は、図６（ａ）（ｂ）（ｃ）（ｄ）に示すとおり、煙突効果を段階的に抑制する４通りの温度調整形態を備えている（なお、上述のとおり、右足と左足で異なる態様をとることができるため、詳細には合計７通りである。）。
【００５６】
ＯＯ形態は、上記のとおり腰部及び裾部に調温帯を装着しない形態であるため、煙突効果の抑制力は小さい。しかしながら、腰部及び左右の裾部に配設された腰部用基材６、右足部用基材８及び左足部用基材が存在するため、従来のボトム衣類と比して空気の移動を抑制することができる。ただし、煙突効果を完全に抑制するものではないため、例えば外気温の急激な上昇等が発生し、体温を低下させたい場合等に適した形態である。
【００５７】
ＯＣ形態は、上記のとおり右足部調温帯７及び左足部調温帯９を装着した形態であるため、煙突効果によって足首から外部の空気の引き込みを抑制することができる。しかしながら、腰部は腰部用基材６のみで略開放されているため、人体によって温められたスペース１１内の空気が上昇して抜け、少なからず外部の空気とスペース１１内の空気とが交換される形態である。
【００５８】
ＣＯ形態は、上記のとおり腰部調温帯５を装着した形態であるため、煙突効果におけるスペース１１内の空気が外部に放出されることを抑制することができる。しかしながら、左右の裾部は右足部用基材８及び左足部用基材のみで略開放されているため、裾部の気圧が下がり少なからず外部の空気とスペース１１内の空気とが交換される形態である。
【００５９】
ＣＣ形態は、上記のとおり腰部調温帯５、右足部調温帯７及び左足部調温帯９を装着した形態であるため、煙突効果を大きく抑制することができる。また、腰部及び左右の裾部の開口が閉鎖された状態となるため、外部とスペース１１内との空気の交換も抑制され、スペース１１内の温められた空気を効果的に留めることができる形態である。
【００６０】
＜ウォームボトム衣類１の温度調整効果＞
本実施形態のウォームボトム衣類１をサーマルマネキンに着用させ、該サーマルマネキンの腹部、腰部、大腿部及び下腿部における着衣量（ｃｌｏ）を測定した。測定条件は、気温２０℃、相対湿度５０％の環境を室内で人工的につくり、風速は１．０ｍ／ｓとし、サーマルマネキンの前方から該サーマルマネキンに向けた水平層流とした。また、測定法は、着衣したサーマルマネキンの温熱的定常状態で、部位別に保温力（ｃｌｏ値）を求めた。各部の測定結果を表１に示す。
【００６１】
【表１】
2019039115.tif 000003
【００６２】
表１からわかるように、各部ともに、ＣＣ形態が最も保温力が高く、また概ねＯＯ形態が最も保温力が低い結果となった。また、ＣＯ形態とＯＣ形態とを比較すると、ＣＯ形態は腹部及び腰部の保温力が高く、ＯＣ形態は大腿部及び下腿部の保温力が高くなっており、双方の形態が得意とする保温部位がわかる。
【００６３】
この結果から、本実施形態のウォームボトム衣類１は、着用者が雰囲気温度の変化に応じてＯＯ形態、ＯＣ形態、ＣＯ形態及びＣＣ形態を変更して対応することで、当該雰囲気温度に適した防寒性が得られることが確認された。更に、自身の体温状況（各部位の温度状況）に鑑みて、より保温性を向上、又は放熱性を向上し、着用者個々が快適な温度調整ができることが確認された
【００６４】
上記のとおり、本実施形態のウォームボトム衣類１は雰囲気温度及び着用者の状態に応じて保温効果を段階的に調整することが可能な機能性衣類であって、意匠性を損なうことなく優れた利便性及び操作性を兼ね備えている。
【００６５】
以上、本発明の実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【００６６】
例えば、本発明のウォームボトム衣類は、パンツ形状のボトム衣類だけではなく、スカート形状のボトム衣類にも適応することができる。スカート形状のボトム衣類は、パンツ形状とは異なり、裾部の開口が大きいため該裾部に調温帯を装着しても効果を得ることは難しいが、腰部に調温帯を構成することで煙突効果を抑制することが可能である。特に裾部の開口が比較的小さいタイトスカート等では、当該煙突効果の発生が顕著となるため、調温帯を膝部から大腿部の間に配設可能とすることにより好適に、本発明の構造を適用可能である。
【産業上の利用可能性】
【００６７】
本発明のウォームボトム衣類は、腰部及び裾部の開口の程度（開口度）を変更し、意匠性を低下させることなく着用者が雰囲気温度や体感温度の変化に応じて衣服内の温度をフレキシブルかつ段階的に調整できる。そのため、冷え性の人や何らかの病を患っている人には好適である。また、単に家庭用だけではなく、冬場に外部で仕事をしなければならない人や、一日の温度変化が激しい環境で仕事をする人にとっても好適であり、業務用にも好適である。更には、スポーツをする人にも利用可能である。
【００６８】
また、本発明のウォームボトム衣類の構造は、例えばコートやダウンジャケット等のトップスにも適用することができる。即ち、トップスにおいては、首回り、腰回り、右腕及び左腕のいずれかの部分に、本発明のような調温帯を着脱自在に装着できる構造とすれば、本発明のウォームボトム衣類と同様の作用効果を得ることができる。
【符号の説明】
【００６９】
１      ウォームボトム衣類
３      ボトム衣類
３Ａ    前身頃部
３Ｂ    後身頃部
５      腰部調温帯
５Ａ    係合面
６      腰部用基材
６Ａ    係合面
６Ｂ    起毛面
７      右足部調温帯
７Ａ    係合面
７Ｂ    起毛面
１１    スペース
【図１】
2019039115.tif 000004
【図２】
2019039115.tif 000005
【図３】
2019039115.tif 000006
【図４】
2019039115.tif 000007
【図５】
2019039115.tif 000008
【図６】
2019039115.tif 000009